(57)【要約】【課題】  養殖過程で生成された突起部の美感を装飾に利用することによって、手間と時間を掛けずに使用でき、しかも、デザインの自由度を拡げることができる変形真珠で作製された装飾具を提供すること。【解決手段】  略球状の珠部１３と、珠部１３の表面に養殖過程で生成された突起部１４と、珠部１３に設けられ糸状体１５を挿通して珠部１３を繋ぐための挿通孔１６とを有する変形真珠１２を複数備え、これら変形真珠１２の挿通孔１６に糸状体１５が通されて環状に繋がれる装飾具１１であって、それぞれの変形真珠１２は、珠部１３の中心Ｏが、糸状体１５を基準にして交互に内側及び外側に配置され、内側に配置された複数の変形真珠１２の突起部１４が、糸状体１５の延びる反時計方向１９に向かって突出し、外側に配置された複数の変形真珠１２の突起部１４が、糸状体１５の延びる時計方向２０に向かって突出する構成。【選択図】      図２
0003122969.tif 000002
【実用新案登録請求の範囲】
【請求項１】
核を有する略球状の珠部と、この珠部の表面に養殖過程で生成された突起部と、前記珠部に設けられ糸状体を挿通して前記珠部を繋ぐための挿通孔とを備えることを特徴とする変形真珠。
【請求項２】
前記挿通孔は、前記珠部の中心から所定の間隔を隔てた位置を通るように形成され、前記珠部の中心及び前記突起部の略中心を通る軸線との成す角度が鋭角であることを特徴とする請求項１記載の変形真珠。
【請求項３】
前記角度が３５°〜４５°であることを特徴とする請求項２記載の変形真珠。
【請求項４】
前記挿通孔は、前記珠部の中心から所定の間隔を隔てた位置を通り、前記珠部の中心及び前記突起部の略中心を通る軸線との成す角度が８０°〜１００°であることを特徴とする請求項１記載の変形真珠。
【請求項５】
前記挿通孔は、前記珠部の略中心を通る位置に形成され、前記珠部の中心及び前記突起部の略中心を通る軸線との成す角度が鋭角であることを特徴とする請求項１記載の変形真珠。
【請求項６】
前記角度が４０°〜５０°であることを特徴とする請求項５記載の変形真珠。
【請求項７】
前記挿通孔は、前記珠部の中心を通る位置に形成され、前記珠部の中心及び前記突起部の略中心を通る軸線との成す角度が８０°〜１００°であることを特徴とする請求項１記載の変形真珠。
【請求項８】
請求項２又は３記載の変形真珠を複数備え、これら複数の前記変形真珠のそれぞれの前記挿通孔に前記糸状体が通されて環状に繋がれる装飾具であって、
当該装飾具が環状に繋がれた状態で、複数の前記変形真珠は、それぞれの前記珠部の中心が、前記糸状体を基準にして交互に一方及び他方の各側に配置されていることを特徴とする装飾具。
【請求項９】
前記糸状体を基準にして、前記一方の側に配置された前記複数の変形真珠のそれぞれの突起部が、前記糸状体の延びる所定の一方向の側に向かって突出し、前記他方の側に配置された前記複数の変形真珠のそれぞれの突起部が、前記糸状体の延びる所定の他方向の側に向かって突出することを特徴とする請求項８記載の装飾具。
【請求項１０】
それぞれの前記突起部が、前記糸状体の延びる所定の一方向の側に向かって突出することを特徴とする請求項８記載の装飾具。
するものである。
【請求項１１】
前記糸状体の一端から略半円部分の複数の前記変形真珠に形成されているそれぞれの突起部が、前記糸状体の延びる所定の一方向の側に向かって突出し、残りの略半円部分の複数の前記変形真珠に形成されているそれぞれの突起部が、前記糸状体の延びる所定の他方向の側に向かって突出することを特徴とする請求項８記載の装飾具。
【考案の詳細な説明】
【技術分野】
【０００１】
本考案は、核を有する略球状の珠部を備え、その表面に養殖過程で突起部が生成された変形真珠、及びこの変形真珠を使用するネックレス、ブレスレット、ネックレストップ、及びイヤリング等の装飾具に関する。
【背景技術】
【０００２】
従来より、例えばアコヤ貝を母貝として、有核真珠が養殖されており、この真珠には、品質に応じて上級珠と、スソ珠（変形真珠）とに分類される。上級珠は、養殖過程で突起部が生成されていないものであリ、略球状の珠部から成るものである。そして、変形真珠は、略球状の珠部の表面に、養殖過程で突起部が生成されたものである。この変形真珠は、例えば突起部を削り取って使用したり、突起部を装飾金具等で隠すようにして使用することが行われている。
【考案の開示】
【考案が解決しようとする課題】
【０００３】
しかし、変形真珠を、その突起部を削り取って使用する場合は、突起部の削り取り作業や、突起部が削り取られた部分の表面処理を行う必要があり、手間と時間が掛かる。そして、突起部を装飾金具等で隠すようにして使用する場合は、このような変形真珠を使用する装飾具のデザインの自由度が狭められる。
【０００４】
本考案は、上記のような課題を解決するためになされたものであり、養殖過程で生成された突起部の美感を装飾に利用することによって、手間と時間を掛けずに使用することができ、しかも、デザインの自由度を拡げることができる変形真珠及び装飾具を提供することを目的としている。
【課題を解決するための手段】
【０００５】
請求項１に係る変形真珠は、略球状の珠部と、この珠部の表面に養殖過程で生成された突起部と、前記珠部に設けられ糸状体を挿通して前記珠部を繋ぐための挿通孔とを備えることを特徴とするものである。
【０００６】
請求項１に係る変形真珠によると、例えば１つ又は複数の変形真珠のそれぞれの挿通孔に糸状体を挿通して、ネックレス、ブレスレット、ネックレストップ、及びイヤリング等の装飾具を製作することができる。そして、この変形真珠を糸状体に取り付けたり繋いだりした状態で、突起部が珠部の表面から突出して表れるようにすることができ、この突起部が装飾としての美感を発揮することができる。
【０００７】
請求項２に係る変形真珠は、請求項１の変形真珠において、前記挿通孔は、前記珠部の中心から所定の間隔を隔てた位置を通るように形成され、前記珠部の中心及び前記突起部の略中心を通る軸線との成す角度が鋭角であることを特徴とするものである。
【０００８】
請求項２に係る変形真珠によると、挿通孔を、珠部の中心から所定の間隔を隔てた位置を通るように設けることによって、例えば複数の変形真珠を、それぞれの挿通孔に糸状体を通して繋いだときに、それぞれの変形真珠の珠部の中心を、糸状体を基準にして互いに反対側の位置となるように配置することができる。これによって、繋がれた複数の変形真珠の、糸状体と直交する方向の寸法（太さ）を大きくすることができ、ボリューム感のある豪華な印象を看者に与えることができる。そして、挿通孔を、珠部の中心及び突起部の略中心を通る軸線に対して鋭角となるように設けることによって、例えば上記のようにして繋がれた変形真珠のそれぞれの突起部を、糸状体を基準にして、互いに隣合う珠部の中心部分が配置されていない他方の空間に配置することができる。これによって、変形真珠間同士の隙間を小さくすることができ、更に、ボリューム感のある豪華な印象を看者に与えることができる。
【０００９】
請求項３に係る変形真珠は、請求項２の変形真珠において、前記角度が３５°〜４５°であることを特徴とするものである。
【００１０】
請求項３に係る変形真珠によると、例えば繋がれた変形真珠のそれぞれの突起部を、糸状体を基準にして、互いに隣合う珠部の中心部分が配置されていない他方の空間に配置したときに、外観が美しくなるようにすることができる。
【００１１】
請求項４に係る変形真珠は、請求項１の変形真珠において、前記挿通孔は、前記珠部の中心から所定の間隔を隔てた位置を通り、前記珠部の中心及び前記突起部の略中心を通る軸線との成す角度が８０°〜１００°であることを特徴とするものである。
【００１２】
請求項４に係る変形真珠によると、例えば繋がれた複数の変形真珠のそれぞれの突起部が、糸状体に対して８０°〜１００°の角度を成す方向に向かって突出する状態となり、それぞれの突起部が誇張され、華やかさを奏することができる。
【００１３】
請求項５に係る変形真珠は、請求項１の変形真珠において、前記挿通孔は、前記珠部の略中心を通る位置に形成され、前記珠部の中心及び前記突起部の略中心を通る軸線との成す角度が鋭角であることを特徴とするものである。
【００１４】
請求項５に係る変形真珠によると、繋がれた複数の変形真珠のそれぞれの珠部が１列に並ぶので、落ち着いた美感を看者に与えることができる。そして、挿通孔を、珠部の中心及び突起部の略中心を通る軸線に対して鋭角となるように設けることによって、落ち着いた美感を備えた上に、ボリューム感のある華やいだ印象を看者に与えることができる。
【００１５】
請求項６に係る変形真珠は、請求項５の変形真珠において、前記角度が４０°〜５０°であることを特徴とするものである。
【００１６】
請求項６に係る変形真珠によると、繋がれた変形真珠のそれぞれの突起部を、例えば規則的に配置したときに、外観が纏まりのある綺麗な形になるようにすることができる。
【００１７】
請求項７に係る変形真珠は、請求項１の変形真珠において、前記挿通孔は、前記珠部の中心を通る位置に形成され、前記珠部の中心及び前記突起部の略中心を通る軸線との成す角度が８０°〜１００°であることを特徴とするものである。
【００１８】
請求項７に係る変形真珠によると、繋がれた複数の変形真珠のそれぞれの突起部が、糸状体に対して８０°〜１００°の角度を成す方向に向かって突出する状態となり、それぞれの突起部が誇張され、華やかさを奏することができる。
【００１９】
請求項８に係る装飾具は、請求項２又は３の変形真珠を複数備え、これら複数の前記変形真珠のそれぞれの前記挿通孔に前記糸状体が通されて環状に繋がれる装飾具であって、当該装飾具が環状に繋がれた状態で、複数の前記変形真珠は、それぞれの前記珠部の中心が、前記糸状体を基準にして交互に一方及び他方の各側に配置されていることを特徴とするものである。
【００２０】
請求項８に係る装飾具は、請求項２又は３の変形真珠を使用して、例えばネックレスやブレスレットに適用することができる。この装飾具によると、環状に繋がれた状態で、それぞれの珠部の中心が、糸状体を基準にして交互に一方（例えばネックレスの内側）及び他方（例えばネックレスの外側）の各側に位置するように配置されているので、ボリューム感のある豪華な印象を看者に与えることができる。
【００２１】
請求項９に係る装飾具は、請求項８の装飾具において、前記糸状体を基準にして、前記一方の側に配置された前記複数の変形真珠のそれぞれの突起部が、前記糸状体の延びる所定の一方向の側に向かって突出し、前記他方の側に配置された前記複数の変形真珠のそれぞれの突起部が、前記糸状体の延びる所定の他方向の側に向かって突出することを特徴とするものである。
【００２２】
請求項９の装飾具によると、糸状体を基準にして一方の側（例えばネックレスの内側）に配置された複数の変形真珠のそれぞれの突起部が、糸状体の延びる所定の一方向（例えば反時計方向）の側に向かって突出しており、そして、他方の側（例えばネックレスの外側）に配置された複数の変形真珠のそれぞれの突起部が、糸状体の延びる所定の他方向（例えば時計方向）の側に向かって突出しているので、この環状の装飾具は、それぞれの変形真珠の突起部が反時計方向に向かって突出する内側環状部分、及びそれぞれの変形真珠の突起部が時計方向に向かって突出する外側環状部分を備える外観を呈し、これによって、２つのネックレスを組合せたような美感を奏することができる。
【００２３】
請求項１０に係る装飾具は、請求項８の装飾具において、それぞれの前記突起部が、前記糸状体の延びる所定の一方向の側に向かって突出することを特徴とするものである。
【００２４】
請求項１０に係る装飾具によると、複数の変形真珠の突起部が、糸状体の延びる所定の一方向の側に向かって突出しているので、互いに隣合う２つで１組を構成する変形真珠によって、略Ｖ字形状の装飾ユニットを形成することができる。これによって、複数の略Ｖ字形状の装飾ユニットを備える装飾具を提供できる。
【００２５】
請求項１１に係る装飾具は、請求項８の装飾具において、前記糸状体の一端から略半円部分の複数の前記変形真珠に形成されているそれぞれの突起部が、前記糸状体の延びる所定の一方向の側に向かって突出し、残りの略半円部分の複数の前記変形真珠に形成されているそれぞれの突起部が、前記糸状体の延びる所定の他方向の側に向かって突出することを特徴とするものである。
【００２６】
請求項１１に係る装飾具によると、請求項１０の装飾具と同様に、互いに隣合う２つで１組を構成する変形真珠によって、略Ｖ字形状の装飾ユニットを形成することができる。ただし、この考案の装飾具では、糸状体の一端を基準にして、一方の（例えば左側の）略半円部分、及び他方の（例えば右側の）略半円部分の装飾ユニットのＶ字の向きが互いに逆方向となっている。これによって、略左右対称の装飾美を有する装飾具を提供できる。
【考案の効果】
【００２７】
この考案に係る変形真珠によると、突起部による美感を装飾として利用することができるので、突起部の削り取り作業や、突起部を削り取った部分の表面処理をしなくて済む。その結果、従来よりも手間と時間を掛けずに、この変形真珠を例えば装飾具に使用することができる。そして、突起部を、装飾金具等で隠さずに装飾として使用できるので、この変形真珠を使用する装飾具のデザインの自由度を拡げることができる。
【００２８】
また、この考案に係る装飾具によると、環状に繋がれた状態で、それぞれの変形真珠は、それぞれの珠部の中心が、糸状体を基準にして交互に一方及び他方の各側に位置するように配置されているので、ボリューム感のある豪華な印象を看者に与えることができる。
【００２９】
更に、この考案に係る装飾具によると、糸状体を基準にして一方の側（例えばネックレスの内側）、及び他方の側（例えばネックレスの外側）に配置された複数の変形真珠のそれぞれの突起部を、規則的に所定の方向に向けることによって、例えばこの装飾具の内側環状部分及び外側環状部分が、２つのネックレスを組合せたような美感を奏するようにすることができる。また、互いに隣合う２つで１組を構成する変形真珠によって、略Ｖ字形状となる装飾ユニットを形成することができ、これによって、複数の略Ｖ字形状の装飾ユニットを備える装飾具を提供できる。更に、略Ｖ字形状の装飾ユニットのＶ字の向きが、装飾具の左半円部分のものと、右半円部分ものとで互いに逆方向となるようにすることによって、略左右対称の装飾美を有する装飾具を提供できる。
【考案を実施するための最良の形態】
【００３０】
以下、本考案に係る変形真珠、及びこの変形真珠が使用されている装飾具の第１実施形態を、図１及び図２を参照して説明する。この装飾具１１は、例えばネックレスである。
【００３１】
変形真珠１２は、図１に模式的に示すように、核を有する略球状の珠部１３を備え、その表面に養殖過程で突起部１４が生成されたものである。そして、珠部１３には、糸状体１５を挿通して、この変形真珠１２を繋ぐための挿通孔１６が設けられている。
【００３２】
挿通孔１６は、図１に示すように、珠部１３の中心Ｏから所定の間隔ｓを隔てた位置を通るように形成され、珠部１３の中心Ｏ及び突起部１４の略中心を通る軸線１７との成す角度αが鋭角である。この角度αは、例えば約４０°である。そして、挿通孔１６の珠部１３の中心Ｏから距離ｓは、約ｒ／２である。ただし、ｒは、珠部１３の半径である。
【００３３】
装飾具１１は、図２に示すように、例えばネックレスであり、図１に示す多数の変形真珠１２、・・・を連珠したものである。これら多数の変形真珠１２は、それぞれの挿通孔１６に糸状体１５が通されて、係合部１８を介して切り離し自在に環状に繋がれて使用される。
【００３４】
図２は、環状に繋がれた装飾具１１を示す正面図であり、同図に示すように、多数の変形真珠１２、・・・は、それぞれの珠部１３の中心Ｏが、糸状体１５を基準にして交互に内側（一方）及び外側（他方）の各側に配置され、内側に配置された複数の変形真珠１２のそれぞれの突起部１４が、糸状体１５の延びる反時計方向１９（所定の一方向）１９の側に向かって突出し、外側に配置された複数の変形真珠１２のそれぞれの突起部１４が、糸状体１５の延びる時計方向（所定の他方向）２０の側に向かって突出している。
【００３５】
この図２に示す装飾具１１によると、複数の変形真珠１２は、それぞれの珠部１３の中心Ｏが、糸状体１５を基準にして交互に、ネックレスの内側及び外側の各側に位置するように配置されているので、ボリューム感のある豪華な印象を看者に与えることができる。
【００３６】
そして、糸状体１５を基準にしてネックレスの内側に配置された複数の変形真珠１２のそれぞれの突起部１４が、糸状体１５の延びる反時計方向１９の側に向かって突出しており、そして、ネックレスの外側に配置された複数の変形真珠１２のそれぞれの突起部１４が、糸状体１５の延びる時計方向２０の側に向かって突出しているので、この環状の装飾具１１は、それぞれの突起部１４が反時計方向１９に向かって突出する内側環状部分２１、及びそれぞれの突起部１４が時計方向２０に向かって突出する外側環状部分２２を備える外観を呈し、これによって、２つのネックレスを組合せたような美感を奏することができる。
【００３７】
また、図２に示すように、この装飾具１１によると、突起部１４が珠部１３の表面から突出して表れるようにすることができ、この突起部１４が装飾としての美感を発揮することができる。
【００３８】
更に、この突起部１４による美感を装飾として利用することができるので、突起部１４の削り取り作業や、突起部１４を削り取った部分の表面処理をしなくて済む。その結果、従来よりも手間と時間を掛けずに、この変形真珠１２を使用して、図２に示す装飾具１１を製作することができる。そして、突起部１４を、装飾金具等で隠さずに装飾として使用できるので、この変形真珠１２を使用する装飾具１１のデザインの自由度を拡げることができる。
【００３９】
また、挿通孔１６を、図１に示すように、珠部１３の中心Ｏから所定の間隔ｓ（≒ｒ／２）を隔てた位置を通るように設けることによって、図２に示すように、例えば複数の変形真珠１２を、それぞれの挿通孔１６に糸状体１５を通して繋いだときに、それぞれの変形真珠１２の珠部１３の中心Ｏを、糸状体１５を基準にして内側及び外側の交互に互いに反対側の位置となるように配置することができる。これによって、繋がれた複数の変形真珠１２の、糸状体１５と直交する方向の寸法（この装飾具１１の太さ）を大きくすることができ、ボリューム感のある豪華な印象を看者に与えることができる。
【００４０】
そして、挿通孔１６を、珠部１３の中心Ｏ及び突起部１４の略中心を通る軸線１７に対して鋭角α（≒４０°）となるように設けることによって、図２に示すようにして繋がれた変形真珠１２のそれぞれの突起部１４を、糸状体１５を基準にして、互いに隣合う珠部１３の中心Ｏの部分が配置されていない他方の空間２３、・・・に配置することができる。これによって、変形真珠１２、・・・間同士の隙間を小さくすることができ、更に、ボリューム感のある豪華な印象を看者に与えることができるし、外観が美しくなるようにすることができる。
【００４１】
なお、図１に示す挿通孔１６の軸線１７に対する角度αを４０°としたが、これ以外の３５°〜４５°としてもよく、このようにしても、ボリューム感のある豪華な印象を奏することができるし、外観が美しくなるようにすることができる。
【００４２】
次に、本考案に係る装飾具の第２実施形態を、図３を参照して説明する。この図３に示す第２実施形態の装飾具（ネックレス）２４と、図２に示す第１実施形態の装飾具（ネックレス）１１とが相違するところは、図２に示す第１実施形態の装飾具１１では、内側環状部分２１を構成する複数の変形真珠１２のそれぞれの突起部１４が、糸状体１５の延びる反時計方向１９の側に向かって突出しており、外側環状部分２２を構成する複数の変形真珠１２のそれぞれの突起部１４が、糸状体１５の延びる時計方向２０の側に向かって突出しているのに対して、図３に示す第２実施形態の装飾具２４では、多数の変形真珠１２のそれぞれの突起部１４が、糸状体１５の延びる反時計方向１９の側に向かって突出しているところである。これ以外は、第１実施形態と同等であり、同等部分を同一の図面符号で示し、それらの構成及び作用の説明を省略する。
【００４３】
第２実施形態の装飾具２４によると、図３に示すように、複数の変形真珠１２の突起部１４が、糸状体１５の延びる反時計方向１９の側に向かって突出しているので、互いに隣合う２つで１組を構成する変形真珠１２、１２によって、略Ｖ字形状の装飾ユニット２５を形成することができる。これによって、複数の略Ｖ字形状の装飾ユニット２５、・・・を備える装飾具２４を提供できる。
【００４４】
次に、本考案に係る装飾具の第３実施形態を、図４を参照して説明する。この図４に示す第３実施形態の装飾具（ネックレス）２７と、図３に示す第２実施形態の装飾具（ネックレス）２４とが相違するところは、図３に示す第２実施形態の装飾具２４では、略Ｖ字形状のそれぞれの装飾ユニット２５のＶ字の向きが同一の方向（突起部１４の突出方向が反時計方向１９の側）に揃っているのに対して、図４に示す第３実施形態の装飾具２７では、係合部１８を基準にして、左側の略半円部分２８、及び右側の略半円部分２９のそれぞれの装飾ユニット３０、・・・、２５、・・・のＶ字の向き（突起部１４の突出方向）が互いに逆方向となっているところである。これ以外は、第２実施形態と同等であり、同等部分を同一の図面符号で示し、それらの構成及び作用の説明を省略する。
【００４５】
つまり、図４に示すように、第３実施形態の装飾具２７は、糸状体１５の両端を接続する係合部１８から、左側の略半円部分２８の複数の変形真珠１２に形成されているそれぞれの突起部１４が、糸状体１５の延びる時計方向２０の側に向かって突出し、残りの略半円部分の複数の変形真珠１２に形成されているそれぞれの突起部１４が、糸状体１５の延びる反時計方向１９の側に向かって突出している。よって、多数の略Ｖ字形状の装飾ユニット３０、・・・、２５、・・・による装飾美を有すると共に、略左右対称の装飾美を有する装飾具２７を提供できる。
【００４６】
ただし、上記実施形態の変形真珠１２では、図１に示すように、挿通孔１６と、珠部１３の中心Ｏ及び突起部１４の略中心を通る軸線１７との成す角度αを４０°としたが、図５に示すように、この角度αを約９０°としてもよいし、これ以外の８０°〜１００°としてもよい。
【００４７】
なお、図５に示す珠部１３の中心Ｏと挿通孔１６との距離ｓは、例えばｒ／２である。このように、角度αを８０°〜１００°とすると、環状に繋がれた複数の変形真珠１２のそれぞれの突起部１４が、糸状体１５に対して８０°〜１００°の角度を成すと共に、突起部１４が交互に糸状体１５の内側及び外側に向かって突出する状態にすることができ、それぞれの突起部１４が誇張され、華やかさを奏することができる。
【００４８】
そして、上記各実施形態では、図１に示すように、挿通孔１６を、珠部１３の中心Ｏから間隔ｓを隔てた位置を通るように設けたが、これに代えて、図６に示すように、挿通孔１６を、珠部１３の中心Ｏを通るように設けてもよい。
【００４９】
このようにすると、環状または直線状に繋がれた複数の変形真珠１２のそれぞれの珠部１３が１列に並ぶので、落ち着いた美感を看者に与えることができる。そして、挿通孔１６を、珠部１３の中心Ｏ及び突起部１４の略中心を通る軸線１７に対して鋭角αとなるように設けることによって、落ち着いた美感を備えた上に、ボリューム感のある華やいだ印象を看者に与えることができる。
【００５０】
そして、図６に示す角度αが４０°〜５０°となるように挿通孔１６を設けると、繋がれた変形真珠１２のそれぞれの突起部１４を、規則的に配置したときに、外観が纏まりのある綺麗な形になるようにすることができる。
【００５１】
更に、図７に示すように、挿通孔１６を、珠部１３の中心Ｏを通る位置に形成し、挿通孔１６と、珠部１３の中心Ｏ及び突起部１４の略中心を通る軸線１７との成す角度αが約９０°、又はこれ以外の８０°〜１００°となるように設けてもよい。
【００５２】
このようにすると、環状に繋がれた複数の変形真珠１２のそれぞれの突起部１４が、糸状体１５に対して８０°〜１００°の角度を成すと共に、突起部１４が交互に糸状体１５の内側及び外側に向かって突出する状態にすることができ、それぞれの突起部１４が誇張され、華やかさを奏することができる。
【００５３】
そして、上記各実施形態では、図１に示す変形真珠１２を使用して、図２〜図４に示すネックレスを製作したが、これ以外にも、例えばブレスレット、ネックレストップ、及びイヤリング等の装飾具に使用することができる。
【産業上の利用可能性】
【００５４】
以上のように、本考案に係る変形真珠及び装飾具は、養殖過程で生成された突起部の美感を装飾に利用することによって、手間と時間を掛けずに使用することができ、しかも、デザインの自由度を拡げることができる優れた効果を有し、このような変形真珠及び装飾具等に適用するのに適している。
【図面の簡単な説明】
【００５５】
【図１】この考案の第１実施形態に係る変形真珠を示す拡大正面図である。
【図２】同第１実施形態に係る装飾具を示す正面図である。
【図３】同考案の第２実施形態に係る装飾具を示す正面図である。
【図４】同考案の第３実施形態に係る装飾具を示す正面図である。
【図５】同考案に係る変形真珠の他の実施形態を示す拡大正面図である。
【図６】同考案に係る変形真珠の更に他の実施形態を示す拡大正面図である。
【図７】同考案に係る変形真珠の更に他の実施形態を示す拡大正面図である。
【符号の説明】
【００５６】
１１、２４、２７  装飾具
１２  変形真珠
１３  珠部
１４  突起部
１５  糸状体
１６  挿通孔
１７  軸線
１８  係合部
１９  反時計方向
２０  時計方向
２１  内側環状部分
２２  外側環状部分
２３  空間
２５、３０  装飾ユニット
２８  左側の半円部分
２９  右側の半円部分
【図１】
0003122969.tif 000003
【図２】
0003122969.tif 000004
【図３】
0003122969.tif 000005
【図４】
0003122969.tif 000006
【図５】
0003122969.tif 000007
【図６】
0003122969.tif 000008
【図７】
0003122969.tif 000009